(57)【特許請求の範囲】
【請求項１】
床面に対して垂直方向に設置されるトイレ用手すり一体型パネルであって、
前記パネルは、
トイレ使用者の少なくとも下半身部が前記トイレ使用者以外の者から遮蔽される位置に固定され、かつ、パネル端部近傍に前記パネルの一側面から対向面へ向かう方向に対して斜めの方向に貫通孔を設けることによって、その貫通孔からパネル端部までの部分を手すりとしたこと、
を特徴とするトイレ用手すり一体型パネル。
【請求項２】
請求項１のパネルは、
前記固定されている位置から所望の位置に対して移動可能に取り付けられていることを特徴とする前記トイレ用手すり一体型パネル。
【請求項３】
請求項１または２のいずれかの前記貫通孔は、
前記パネルの押出成型時に同時に形成されるものであることを特徴とする前記トイレ用手すり一体型パネル。
【発明の詳細な説明】
【０００１】
【発明の技術分野】
この発明は、トイレや家具等に備えられる手すりの構造に関するものである。
【０００２】
【従来の技術】
図１に、従来の手すりが取り付けられたトイレを示す。便器２０６の使用者が安心してトイレを使用することができるように、手すり２０２と上半身を支える部分２００が一体となった手すりバーが、固定具２０４によって壁面に固定されている。この手すりバーは、金属製のパイプによるのが一般的である。
【０００３】
【発明が解決しようとする課題】
しかしながら、上記のような従来技術においては、使用者の身体を支えるための面積が狭い上に、例えば、トイレ等で使用される場合には使用者以外の者からの視線を遮蔽するのに十分ではないため、使用者のプライバシーの保護が守られないという問題があった。
【０００４】
この発明は、上記のような問題を解決して、複雑なパイプ構造ではなくパネル構造を採用することにより、簡易な構造でありながら身体の保持がしやすく、目隠し効果にも優れた手すり一体型パネルを提供することを目的とする。
【０００５】
【課題を解決するための手段および発明の効果】
１）床面に対して垂直方向に設置されるトイレ用手すり一体型パネルであって、前記パネルは、トイレ使用者の少なくとも下半身部が前記トイレ使用者以外の者から遮蔽される位置に固定され、かつ、パネル端部近傍に前記パネルの一側面から対向面へ向かう方向に対して斜めの方向に貫通孔を設けることによって、その貫通孔からパネル端部までの部分を手すりとしたこと、を特徴としている。
【０００６】
これにより、パネルを介しての遮蔽効果があるとともに手すりを取り付けるための金具等が不要となる。また、手すりのみが突出した構造ではなくパネルと手すりとが一体的に形成される。したがって、一定の遮蔽効果を得るとともに使用者にとって手すりがじゃまにならないパネルを低コストで得ることができる。また、手すりがじゃまにならないので手すりを必要としない使用者との共用化を図ることができる。さらに、パネルに対して手すりを別途取り付ける形状を採用するのであればパネルの厚さが薄い場合には手すりの取り付けが困難になるが、本発明では貫通孔等によって手すりが形成されるからパネルの厚さが薄くても握りやすく適切な手すりを形成することができる。また、貫通孔はパネル端部近傍に前記パネルの一側面から対向面へ向かう方向に対して斜めの方向に設けられる。これにより、パネルに厚みがある場合でも貫通孔を容易に形成することができることに加えてパネル面に対する方向の遮蔽効果がより一層向上する。さらに、前記パネルが、トイレ使用者の少なくとも下半身部が前記トイレ使用者以外の者から遮蔽される位置に固定されていることを特徴としている。したがって、トイレ使用者以外の者に対する遮蔽効果があるから使用者のプライバシーが保護され安心して使用できる。また、手すりを必要とする使用者にとっては、車椅子等の方向の転換の補助として、排泄行為の補助として、しゃがんだり立ち上がったりする場合の補助として手すりを利用することができる。さらに、手すりがじゃまにならないので手すりを必要としない使用者との共用化を図ることができる。
【００１３】
２）本発明のパネルは、前記固定されている位置から所望の位置に対して移動可能に取り付けられていることを特徴としている。
【００１４】
これにより、トイレの使用に適した位置にパネルを移動させることによって個々の使用者の体格等に併せて手すり及びパネル位置を調整することができる。したがって、個々の使用者はトイレをより快適に使用することができる。また、パネルが不要であれば移動させることができるのでじゃまにならない。
【００１５】
３）本発明の前記貫通孔は、前記パネルの押出成型時に同時に形成されるものであることを特徴としている。
【００１６】
したがって、手すりの形成が容易である。
【００１７】
【発明の実施の形態】
１．本発明の一実施形態による、手すり一体型パネルが取り付けられたトイレについて
図２Ａに、この発明の一実施形態による、手すり一体型パネルが取り付けられたトイレを示す。便器１６の使用者の身体を安定して支えるとともに下半身部がその使用者以外の者から遮蔽されるような位置にパネル１０が壁面に取り付けられており、さらに、パネル端部近傍に貫通孔１２を設けることによって、貫通孔１２からパネル端部までの部分を手すり１４としている。また、同様のパネル１８が便器１６の上部の壁面に取り付けられている。
【００１８】
図２Ｂは、図２Ａとほぼ同様であるが、洋式便器２８に手すり一体型パネルが取り付けられた実施形態となっている。使用者の下半身部が遮蔽されるような位置にパネル２０が壁面に取り付けられており、貫通孔２４及び手すり２６については図２Ａと同様である。また、パネル２２は、壁面に対して洋式便器２８の使用者が便器に座ったときに手が届くような位置に取り付けられている。
【００１９】
図３Ａ、Ｂは、この手すり一体型パネルの斜視図と右側面図を示している。パネル５６は平板形状であり、パネル端部近傍には貫通孔５２が設けられ、手すりとして使用される箇所には樹脂部５８が設けられている。
【００２０】
２．本実施形態の手すり一体型パネルによる効果
以上のようなパネル構造を採用することにより、パネルを介しての遮蔽効果があるとともに手すりを取り付けるための金具等が不要である。また、手すりのみが突出した構造ではなくパネルと手すりとが一体的に形成される。したがって、トイレ使用者以外の者に対する遮蔽効果があるから使用者のプライバシーが保護され安心して使用でき、かつ、使用者にとって手すりがじゃまにならないパネルを低コストで得ることができる。
【００２１】
すなわち、本実施形態の手すり一体型パネルは、従来の金属パイプの手すりと比べた場合、パネルを採用することでより広い面積で安全に使用者の身体を保持することができるとともに、パネルであれば別途手すりを設けるのが一般的であるにもかかわらず、貫通孔を設けることによって簡易に手すりを形成することを実現したものである。
【００２２】
ここで、手すりを必要とする使用者にとっては、車椅子等の方向の転換の補助として、排泄行為の補助として、しゃがんだり立ち上がったりする場合の補助として手すりを利用することができる。さらに、手すりがじゃまにならないので手すりを必要としない使用者との共用化を図ることができる。なお、図２のパネル１８やパネル２２については、傘や杖、手荷物を置くことができるスペースとして利用することもできる。
さらに、パネルに別途手すりを取り付ける形状を採用するのであればパネルの厚さが薄い場合には手すりの取り付けが困難になるが、本発明では貫通孔によって手すりが形成されるからパネルの厚さが薄くても握りやすく適切な手すりを形成することができる。
【００２３】
なお、パネルの形状や貫通孔の位置については上記の実施形態に限られるものではなく、使用目的に応じて、例えば、図４Ａ、Ｂ、Ｃのような様々なパネル形状、貫通孔の位置を採用することができる。また、貫通孔ではなく、パネル端部近傍に窪み部を設けることによって、窪み部からパネル端部までの部分を手すりとするようにしてもよい。
【００２４】
図５Ａは、図４のＡ−Ａ’方向の部分断面図、すなわち貫通孔付近の断面形状を示している。木部９０には、メラミン８４と仕上材８２とが順番に貼り合わされ、また、木部９０の内部には接着樹脂層８６とステン金具８８とを備えることによりパネル全体の強度を確保している。そして、手すりとして使用される部分についてはエポキシ樹脂８０が貼り合わされている。
【００２５】
本実施形態では、エポキシ樹脂８０を使用するとともに手すり部分が丸くなるようにしているので、美観と、樹脂の柔らかい感触による滑り止め効果との双方を得ることができる。また、従来のトイレ用手すりで使用される金属では冷たい感触を与えるが、樹脂を採用することによって金属のような冷たい感触を与えることがない上に、手すりが錆びることもなく優れた耐水性を得ることができる。さらに、身体に与える衝撃を緩和することになるから一層快適に手すりを使用することができる。
【００２６】
なお、パネルの素材としては、本実施形態のものに限られるものではなく、メラミンの他に、ステンレス、人造大理石、天然石、ラバー等を用いることができる。いずれの場合も、ルーター等によって貫通孔を形成することができる。ここで、ポリエステル系の材料等をパネルとして用いる場合には、押し出し成型時に同時に貫通孔を形成することができ、さらに手すり部分の形成が容易となる。その他、貫通孔の形成された材料を複数枚積み重ねて手すり一体型パネルを製作してもよい。
【００２７】
また、手すりの形状に関しては、図５Ｂに示すようにパネルの一側面から対向面へ向かう方向に対して斜めの方向に貫通孔を設ける形状にしてもよい。この場合、手すり８５が形成されることになる。
【００２８】
これにより、パネルに厚みがある場合でも貫通孔を容易に形成することができることに加えて、パネル面に対する方向の遮蔽効果がより一層向上する。また、パネル等の清掃に水等を使用したとしても容易に水が流れ落ちることになるので清掃が容易である。
【００２９】
いずれにしても、パネルの素材、形状、厚み、長さ、色、柄等については選択の幅を広げることができる。
【００３０】
３．本発明のその他の実施形態
本発明のその他の実施形態として、図６Ａ、Ｂ、Ｃは、手すり一体型パネルの移動が可能となるような金具を取り付けた図である。手すり一体型パネル１００、１０２、１０４は、それぞれ壁面１０６に対して可動となるような位置に設置されている。図６Ａでは、パネル１００を縦方向に跳ね上げることができ、図６Ｂでは、パネル１０２を横方向に移動可能であり、図６Ｃでは、パネル１０４を斜めの方向に移動調整することができることを表している。
【００３１】
また、図７Ａ、Ｂは、手すり一体型パネルにレールを取り付けた場合の断面図である。図７Ａでは、手すり一体型パネル１３０は固定具１３４とアジャスター１３２とを介して床レール１３６に連結されている。床レール１３６はネジ１３８とプラグ１４０によって床に固定されている。図７Ｂでは、パネル１４２は壁レール１４４に連結されている。壁レール１４４はネジ１４６とプラグ１４８によって壁に固定されている。これらによって、床面や壁面に対するパネルの位置をスライド移動させることができる。
【００３２】
以上、図６や図７のような機構を採用すれば、トイレの使用に適した位置にパネルを移動させることによって個々の使用者の体格等に併せて手すり及びパネル位置を調整することができる。したがって、個々の使用者はトイレをより快適に使用することができる。また、パネルが不要であれば移動させることができるのでじゃまにならない。
【００３３】
特に、図６Ｃのようにパネルを斜めの方向に移動調整すれば、使用者が体を斜めにすることによってパネル１０４にもたれかかることができる。したがって、手すりを握るだけでなく体全体を支える必要がある場合にも、より一層使用者の体を安定させることができる。
【００３４】
以上、手すり一体型パネルをトイレに使用した場合の実施形態について説明したが、手すり一体型パネルの使用用途はこれに限定されるものではない。例えば、図８のように、家具１６６にパネル１６０を取り付けてもよい。この場合、貫通孔１６４が設けられて手すり１６２が形成されることになる。これにより、家具の使用者は身体を安定に支えて作業等をすることができる。
【図面の簡単な説明】
【図１】従来のトイレ用手すりを示す斜視図である。
【図２】本発明の実施形態による手すり一体型パネルが取り付けられたトイレの斜視図であり、図２Ａは小便器、図２Ｂは洋式便器に手すり一体型パネルが取り付けられたものを示す図である。
【図３】図３Ａ、Ｂは、この手すり一体型パネルの斜視図と右側面図を示す図である。
【図４】図４Ａ、Ｂ、Ｃは、手すり一体型パネルの他の形状を示す図である。
【図５】図５Ａは、図４のＡ−Ａ’方向の部分断面を示す図である。
図５Ｂは、手すり一体型パネルに対して斜めに貫通孔を設けた場合の形状を示す図である。
【図６】図６Ａ、Ｂ、Ｃは、手すり一体型パネルの移動が可能となるような金具を取り付けた図である。
【図７】図７Ａ、Ｂは、手すり一体型パネルにレールを取り付けた場合の断面図である。
【図８】本発明の他の実施形態による、家具に手すり一体型パネルを取り付けた図である。
【符号の説明】
１０・・・パネル
１２・・・貫通孔
１４・・・手すり
【図１】
0003635015.tif 000002
【図２】
0003635015.tif 000003
【図３】
0003635015.tif 000004
【図４】
0003635015.tif 000005
【図５】
0003635015.tif 000006
【図６】
0003635015.tif 000007
【図７】
0003635015.tif 000008
【図８】
0003635015.tif 000009